(57)【要約】【課題】ステイプル処理後中折ローラに用紙束を搬送する際に、ステイプル針がアンビルの縁への引っかかりを抑制し、用紙がアンビルの縁に接触することを抑制した用紙後処理装置を提供する。【解決手段】用紙束３０をステイプラ２１の方向に押し上げ、折り曲げられたステイプル針３１がアンビルの縁２３に掛止めさせないようにする掛止抑制機構２４を設けた。このため、ステイプル処理後に用紙束３０を搬送するときにステイプル針３１がアンビルの縁２３に引っかかることを防止できる。また、掛止抑制機構２４は用紙束３０をアンビルの縁２３に接触しないように押し上げるため、用紙がアンビルの縁２３によって傷つくことを防止できる。【選択図】図１
2008156115.tif 000002
【特許請求の範囲】
【請求項１】
用紙束に向かってステイプル針を打ち込むステイプラと、
前記打ち込まれたステイプル針を曲げるアンビルと、を有するステイプル装置と；
前記用紙束に対して前記ステイプラ側に位置し、ステイプル処理された前記用紙束を中央部で折り曲げる一対の中折ローラと；
前記用紙束に対して前記アンビル側に位置し、前記用紙束を前記一対の中折ローラの間に圧入するブレードと；
前記用紙束を挟んで前記中折ローラと反対側に位置し、前記用紙束を前記ステイプラ方向に、折り曲げられた前記ステイプル針が前記アンビルの縁に掛止しない位置まで押しやる掛止抑制機構と；
を備える用紙後処理装置。
【請求項２】
前記掛止抑制機構の前記アンビルの底部からの前記ステイプラ方向の高さは、前記アンビルの縁の前記アンビルの底部からの高さより、少なくとも折り曲げられた前記ステイプル針の用紙束からアンビル側に出ている厚み分高い、
ことを特徴とする請求項１記載の用紙後処理装置。
【請求項３】
前記掛止抑制機構の前記用紙束と接する部分が曲面を有する、
ことを特徴とする請求項１記載の用紙後処理装置。
【請求項４】
前記掛止抑制機構の前記用紙束と接する部分が球形をなす、
ことを特徴とする請求項１記載の用紙後処理装置。
【請求項５】
前記掛止抑制機構が、板バネを有する、
ことを特徴とする請求項１記載の用紙後処理装置。
【請求項６】
前記掛止抑制機構が、圧縮バネを有する、
ことを特徴とする請求項１記載の用紙後処理装置。
【請求項７】
前記掛止抑制機構が前記用紙束を前記ステイプラ側に押すバネ力は前記ステイプラが前記アンビル側に押すバネ力より弱い、
ことを特徴とする請求項１記載の用紙後処理装置。
【請求項８】
前記掛止抑制機構は用紙の幅方向にアンビルを挟んで複数設けられている、
ことを特徴とする請求項１記載の用紙後処理装置。
【請求項９】
用紙束に向かってステイプル針を打ち込むステイプラと、
前記打ち込まれたステイプル針を曲げるアンビルと、を有するステイプル装置と；
前記用紙束に対して前記ステイプラ側に位置し、ステイプル処理された前記用紙束を中央部で折り曲げる一対の中折ローラと；
前記用紙束に対して前記アンビル側に位置し、前記用紙束を前記一対の中折ローラの間に圧入するブレードと；
前記用紙束を挟んで前記中折ローラと反対側に位置し、前記ステイプラ方向に弾性力を有する掛止抑制機構と；を備える用紙後処理装置において、
前記掛止抑制機構が、ステイプル処理後に前記用紙束を前記ステイプラ方向に、折り曲げられた前記ステイプル針が前記アンビルの縁に掛止しない位置まで押しやる、ことを特徴とする掛止抑制方法。
【発明の詳細な説明】
【技術分野】
【０００１】
本発明は、ステイプル処理を行う用紙後処理装置においてステイプル針をアンビルの縁に掛止させないようにする掛止抑制機構を備えた用紙後処理装置に関する。
【背景技術】
【０００２】
画像形成装置に並んで設置され、画像形成された用紙にステイプル処理を行い、さらに折り曲げて冊子を製作する後処理装置が開発されている（例えば、特許文献１）。
【０００３】
これは、画像形成された用紙を所定枚数からなる用紙束とし、整合して用紙の中央部でステイプル処理し、一対の中折ローラの間を通すことにより用紙束を折り曲げて冊子を製作するものである。
【特許文献１】特開２００５−２２１７５号公報
【発明の開示】
【発明が解決しようとする課題】
【０００４】
しかし、従来の用紙後処理装置においては、ステイプル処理後中折ローラに用紙束を搬送する際に、ステイプル針がアンビルの縁に引っかかり、スムーズな搬送を妨げるという問題があった。また、用紙がアンビルの縁に接触して搬送されるために、用紙が傷つくという問題があった。
【０００５】
本発明は上記のような問題点に鑑みてなされたものであり、ステイプル処理後中折ローラに用紙束を搬送する際に、ステイプル針がアンビルの縁への引っかかりを抑制し、用紙がアンビルの縁に接触することを抑制した用紙後処理装置及び掛止抑制方法を提供することを目的とする。
【課題を解決するための手段】
【０００６】
この目的を達成するために本発明は、用紙束に向かってステイプル針を打ち込むステイプラと、打ち込まれたステイプル針を曲げるアンビルと、を有するステイプル装置と；用紙束に対してステイプラ側に位置し、ステイプル処理された用紙束を中央部で折り曲げる一対の中折ローラと；用紙束に対してアンビル側に位置し、用紙束を一対の中折ローラの間に圧入するブレードと；用紙束を挟んで中折ローラと反対側に位置し、用紙束をステイプラ方向に、折り曲げられたステイプル針がアンビルの縁に掛止しない位置まで押しやる掛止抑制機構と；を備える用紙後処理装置を提供する。
【０００７】
また、本発明は、用紙束に向かってステイプル針を打ち込むステイプラと、打ち込まれたステイプル針を曲げるアンビルと、を有するステイプル装置と；用紙束に対してステイプラ側に位置し、ステイプル処理された用紙束を中央部で折り曲げる一対の中折ローラと；用紙束に対してアンビル側に位置し、用紙束を一対の中折ローラの間に圧入するブレードと；用紙束を挟んで中折ローラと反対側に位置し、ステイプラ方向に弾性力を有する掛止抑制機構と；を備える用紙後処理装置において、掛止抑制機構が、ステイプル処理後に用紙束をステイプラ方向に、折り曲げられたステイプル針がアンビルの縁に掛止しない位置まで押しやる、ことを特徴とする掛止抑制方法を提供する。
【発明の効果】
【０００８】
本発明によれば、ステイプル処理後に用紙束を搬送するときにステイプル針がアンビルの縁に引っかかることを防止できる、という効果がある。また、用紙がアンビルの縁によって傷つくことを防止できるという効果がある。
【発明を実施するための最良の形態】
【０００９】
以下、本発明の実施の形態について、図面を参照しながら説明する。なお、各図において同一箇所については同一の符号を付すとともに、重複した説明は省略する。
【００１０】
図１は本発明の一実施形態に係る用紙後処理装置１０の要部を示す斜視図である。用紙後処理装置１０は画像形成装置から用紙を受け取り、所定枚数整合した用紙束にステイプル処理するステイプル装置１１と、ステイプル装置１１と用紙束を挟んで反対側に、用紙束を中央部で折り曲げる一対の中折ローラ１２を備える。
【００１１】
なお、用紙後処理装置１０は以上のほかに、画像形成装置から用紙を受け取り、後処理のために待機させる待機トレイと、待機トレイの下方に配置され、待機トレイから供給される用紙を受け取る処理トレイと、後処理後に排出される用紙を積載する排紙トレイとを備え、ソート処理、穴あけ処理、用紙端へのステイプル処理などの冊子製作機能以外の後処理機能とこのための各種装置を具備していてもよい。
【００１２】
図２は本実施形態の用紙後処理装置１０内に配設されるステイプル装置１１近傍を横から見た図である。用紙後処理装置１０内に用紙束にステイプル針を打ち込むステイプラ２１と、押し出されたステイプル針を曲げるアンビル２２とを有するステイプル装置１１と、用紙束を整合し、ステイプル処理された用紙束を搬送する用紙整合部材２５と、用紙束に対してステイプラ２１側に位置し、ステイプル処理された用紙束を中央部で折り曲げる一対の中折ローラ１２及び用紙束に対してアンビル２２側に位置し、用紙束を一対の中折ローラ１２の間に圧入するブレード２７とを有する折り曲げ機構と、中折ローラ１２と用紙束を挟んで反対側に設けられ、用紙束をステイプラ２１方向に、折り曲げられたステイプル針がアンビルの縁２３に掛止しない位置まで押しやる掛止抑制機構２４が配設されている。
【００１３】
図３は掛止抑制機構２４の斜視図である。掛止抑制機構２４は例えば板バネ状に形成され、ステイプラ２１方向に弾性力を有し、掛止抑制機構２４の用紙束と接する部分が曲面を有する。この曲面は用紙束が搬送されるときに用紙面との摩擦力を低減させるためのものである。図３においては用紙束と接する部分はほぼ半円筒状に形成している。
【００１４】
図４は掛止抑制機構２４の他の例の斜視図である。図４においては掛止抑制機構２４の用紙束と接する部分は円柱形状をしている。なお、用紙束と接する部分は球形をしていてもよい。
【００１５】
また、板バネに代えて圧縮バネを用いてもよい。圧縮バネを用いる場合には、例えば掛止抑制機構２４の板バネ部分を取り除き、用紙束と接する部分を圧縮バネの端部に係止することにより掛止抑制機構２４を構成することができる。
【００１６】
図５はステイプル処理時の状態を表した図である。ステイプラ２１はステイプル針３１を用紙束３０に打ち込みながらアンビル２２側に移動する。打ち込まれたステイプル針３１はアンビル２２により曲げられる。掛止抑制機構２４が用紙束３０をステイプラ２１側に押すバネ力はステイプラ２１がアンビル２２側に押すバネ力より弱い。このため、掛止抑制機構２４は矢印の方向に押し下げられ、ステイプル装置１１はステイプル処理を行うことができる。
【００１７】
図６はステイプル処理後の状態を表した図である。掛止抑制機構２４のアンビルの底部２８からのステイプラ２１方向の高さは、アンビルの縁２３のアンビルの底部２８からの高さより、少なくとも折り曲げられたステイプル針３１の用紙束からアンビル２２側に出ている厚み分高い。このため、ステイプラ２１がホームポジションに戻り、掛止抑制機構２４は矢印の方向に用紙束３０を押し出すと、ステイプル針３１はアンビルの縁２３よりもステイプラ２１側に押し出され、アンビルの縁２３の端部との間に隙間が確保される。
【００１８】
図７はステイプル処理済の用紙束搬送後の状態を表した図である。掛止抑制機構２４は、用紙束３０が中折位置まで搬送されるときに、ステイプル処理されたステイプル針３１の通過経路以外の位置に設けられている。このため、掛止抑制機構２４はステイプル針３１と引っかかることがない。
【００１９】
掛止抑制機構２４は例えばビス止め又は接着剤により、アンビル２２が取り付けられている用紙後処理装置１０の部材に固定される。また、掛止抑制機構２４は用紙の幅方向、すなわち用紙搬送方向に垂直な方向に、アンビル２２を挟んで複数設けることもできる。用紙束３０はブレード２７により中折ローラ１２方向に押され、中折ローラ１２により折り曲げられて冊子が製作される。
【００２０】
以上のように、本実施形態の用紙後処理装置１０においては、用紙束３０をステイプラ２１の方向に押し上げ、折り曲げられたステイプル針３１がアンビルの縁２３に掛止めさせないようにする掛止抑制機構２４を設けたため、ステイプル処理後に用紙束３０を搬送するときにステイプル針３１がアンビルの縁２３に引っかかることを防止できる。
【００２１】
また、掛止抑制機構２４は用紙束３０をアンビルの縁２３に接触しないように押し上げるため、用紙がアンビルの縁２３によって傷つくことを防止できる。
【００２２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２３】
【図１】用紙後処理装置の要部を示す斜視図である。
【図２】用紙後処理装置を横から見た図である。
【図３】掛止抑制機構の斜視図である。
【図４】掛止抑制機構の他の例の斜視図である。
【図５】ステイプル処理時の状態を表した図である。
【図６】ステイプル処理後の状態を表した図である。
【図７】用紙束搬送後の状態を表した図である。
【符号の説明】
【００２４】
１０：用紙後処理装置、
１１：ステイプル装置、
１２：中折ローラ、
２１：ステイプラ、
２２：アンビル、
２３：アンビルの縁、
２４：掛止抑制機構、
２５：用紙整合部材、
２７：ブレード、
２８：アンビルの底部、
３０：用紙束
【図１】
2008156115.tif 000003
【図２】
2008156115.tif 000004
【図３】
2008156115.tif 000005
【図４】
2008156115.tif 000006
【図５】
2008156115.tif 000007
【図６】
2008156115.tif 000008
【図７】
2008156115.tif 000009